【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
脊椎安定化に使用するシステムであって、このシステムは、
骨係合部及び頭部を含む係留部材であって、この頭部が凹部及び外面を含むものである係留部材と、
ロッドと、
ロッド押込み具と
を含んでなり、このロッド押込み具は、
第１端と第２端を有する本体であって、この第２端が前記係留部材に離脱可能に取付けられている本体と、
前記ロッドを前記係留部材の前記凹部内へと付勢することができる、前記第２端にあるプッシャー部材と、
前記本体に取付けられているピストルグリップと、
前記プッシャー部材を前記本体に連結するとともに、前記プッシャー部材を前記係留部材に向かって付勢することができるトリガーと
を含んでなるシステム。
【請求項２】
前記ロッド押込み具の前記プッシャー部材が、
前記トリガーを介して前記本体に滑動自在に連結されているスライドと、
前記スライドに取り付けられ、前記第２端を部分的に包囲するスリーブと、
前記スリーブと一体であって、接触時に前記ロッドを受けるための凹部を画成する少なくとも１つのプッシャーバーと
を含んでなる請求項１に記載のシステム。
【請求項３】
前記ロッド押込み具が、前記本体の前記第２端から延びている、前記係留部材を離脱可能に把持する一対のフィンガーをさらに含んでなる請求項１に記載のシステム。
【請求項４】
前記一対のフィンガーが、これらの間に前記係留部材を受けて把持するように弾性的に広がるとともに、前記係留部材の前記外面の凹部と協同作用する突起を画成する請求項３に記載のシステム。
【請求項５】
前記ロッド押込み具の前記プッシャー部材が、前記トリガーを介して前記本体に滑動自在に連結されているスライドと、前記スライドに取り付けられ、前記第２端を部分的に包囲するスリーブとを含んでなり、前記スリーブが、前記スリーブの対向する側面から延びる一対のアームを含んでなり、前記一対のアームが前記一対のフィンガーに併設されており、前記プッシャー部材が前記第２端に向かって平行移動するとき、前記一対のアームが前記フィンガーに隣接して平行移動し、前記一対のフィンガーが前記担持された係留部材から広がるのを防ぐ請求項３に記載のシステム。
【請求項６】
前記ロッド押込み具が、前記本体の前記第１端から前記本体の前記第２端へと延びる管をさらに含んでなる請求項１に記載のシステム。
【請求項７】
前記本体が上面に通路を有し、前記本体に隣接する前記プッシャー部材が下側に通路を有し、この上面の通路と下側の通路とが協同して前記管を形成する請求項６に記載のシステム。
【請求項８】
脊椎安定化に使用するシステムであって、このシステムは、
骨係合部及び頭部を含む係留部材であって、この頭部が凹部及び外面を含むものである係留部材と、
ロッドと、
ロッド押込み具と
を含んでなり、このロッド押込み具は、
第１端と第２端を有する本体であって、この第２端が前記係留部材に離脱可能に取付けられている本体と、
前記ロッドを前記係留部材の前記凹部内へと付勢することができる、前記第２端にあるプッシャー部材と、
前記本体に取付けられているピストルグリップと、
前記プッシャー部材を前記本体に連結するとともに、前記プッシャー部材を前記係留部材に向かって付勢することができるトリガーと、
前記本体に沿って前記プッシャー部材が平行移動するのを制御するように適合されているとともに、前記プッシャー部材が前記ロッドから離れる方向に平行移動するのを防ぐために段階的に係止するように構成されているラチェットと
を含んでなるシステム。
【請求項９】
前記ロッド押込み具の前記プッシャー部材が、
前記トリガーを介して前記本体に滑動自在に連結されているスライドと、
前記スライドに取り付けられ、前記第２端を部分的に包囲するスリーブと、
前記スリーブと一体であって、接触時に前記ロッドを受けるための凹部を画成する少なくとも１つのプッシャーバーと
を含んでなる請求項８に記載のシステム。
【請求項１０】
前記ロッド押込み具の前記本体が、前記第２端から延びている、前記係留部材を離脱可能に把持する一対のフィンガーをさらに含んでなる請求項８に記載のシステム。
【請求項１１】
前記一対のフィンガーが、これらの間に前記係留部材を受けて把持するように弾性的に広がるとともに、前記係留部材の凹部と協同作用する突起を画成する請求項１０に記載のシステム。
【請求項１２】
前記ロッド押込み具の前記プッシャー部材が、前記トリガーを介して前記本体に滑動自在に連結されているスライドと、前記スライドに取り付けられ、前記第２端を部分的に包囲するスリーブとを含んでなり、前記スリーブが、前記スリーブの対向する側面から延びる一対のアームを含んでなり、前記一対のアームが前記一対のフィンガーに併設されており、前記プッシャー部材が前記第２端に向かって平行移動するとき、前記一対のアームが前記フィンガーに隣接して平行移動し、前記一対のフィンガーが前記担持された係留部材から広がるのを防ぐ請求項１０に記載のシステム。
【請求項１３】
前記ロッド押込み具が、前記本体の前記第１端から前記本体の前記第２端へと延びる管をさらに含んでなる請求項８に記載のシステム。
【請求項１４】
前記本体が上側に通路を有し、前記本体に隣接する前記プッシャー部材が下側に通路を有し、この上側の通路と下側の通路とが協同して前記管を形成する請求項１３に記載のシステム。
【請求項１５】
前記ロッド押込み具の前記ラチェットが、相互作用する雄歯と雌歯を含んでなる請求項８に記載のシステム。
【請求項１６】
前記前記ラチェットが、前記ピストルグリップと前記トリガーとの間に配置されている請求項１５に記載のシステム。
【請求項１７】
前記前記ラチェットが、前記本体と前記プッシャー部材との間に配置されている請求項１５に記載のシステム。
【請求項１８】
脊椎安定化に使用するシステムであって、このシステムは、
骨係合部及び頭部を含む係留部材であって、この頭部が凹部及び外面を含むものである係留部材と、
ロッドと、
ロッド押込み具と
を含んでなり、このロッド押込み具は、
第１端と第２端と上側に通路とを有する本体であって、この第２端が前記係留部材に離脱可能に取付けられている本体と、
下側に通路を有し、前記ロッドを前記係留部材の前記凹部内へと付勢することができる、前記第２端にあるプッシャー部材であって、前記上側の通路と前記下側の通路とが、前記ロッドを前記係留部材に固定するための締付け具と、この締付け具を前記係留部材に締め付けるためのドライバーとを受けることができる管を形成するプッシャー部材と、
前記本体に取付けられているピストルグリップと、
前記プッシャー部材を前記本体に連結するとともに、前記プッシャー部材を前記係留部材に向かって付勢することができるトリガーと
を含んでなるシステム。
【請求項１９】
前記ロッド押込み具の前記プッシャー部材が、
前記トリガーを介して前記本体に滑動自在に連結されているスライドと、
前記スライドに取り付けられ、前記第２端を部分的に包囲するスリーブと、
前記スリーブと一体であって、接触時に前記ロッドを受けるための凹部を画成する少なくとも１つのプッシャーバーと
を含んでなる請求項１８に記載のシステム。
【請求項２０】
前記ロッド押込み具の前記本体が、前記第２端から延びている、前記係留部材を離脱可能に把持する一対のフィンガーをさらに含んでなる請求項１８に記載のシステム。
【請求項２１】
前記一対のフィンガーが、これらの間に前記係留部材を受けて把持するように弾性的に広がるとともに、前記係留部材の凹部と協同作用する突起を画成する請求項２０に記載のシステム。
【請求項２２】
前記ロッド押込み具の前記プッシャー部材が、前記トリガーを介して前記本体に滑動自在に連結されているスライドと、前記スライドに取り付けられ、前記第２端を部分的に包囲するスリーブとを含んでなり、前記スリーブが、前記スリーブの対向する側面から延びる一対のアームを含んでなり、前記一対のアームが前記一対のフィンガーに併設されており、前記プッシャー部材が前記第２端に向かって平行移動するとき、前記一対のアームが前記フィンガーに隣接して平行移動し、前記一対のフィンガーが前記担持された係留部材から広がるのを防ぐ請求項２０に記載のシステム。
【請求項２３】
前記ロッド押込み具は、前記本体に沿って前記プッシャー部材が平行移動するのを制御するように、かつ前記プッシャー部材が前記ロッドから離れる方向に平行移動するのを防ぐために段階的に係止するように適合されているラチェットをさらに含んでなる請求項１８に記載のシステム。